(57)【要約】【課題】メインアンプの発振停止時間を設けなくても、無電極放電灯の点灯としては歯切れが良くて、しかも、ちらつきもなく点灯して、点弧始動時間を短くすることができる無電極放電灯点灯装置を提供することにある。【解決手段】直流電源Ｅからの電力供給を受けて高周波電圧を出力する、少なくとも１つのスイッチング素子を含む電力変換回路と、この電力変換回路の出力端に接続された誘導コイル５と、この誘導コイル５に近接配置されて点灯するバルブ内に放電ガスを封入した無電極放電灯６とから構成される無電極放電灯点灯装置において、前記直流電源Ｅが起動後、前記電力変換回路は前記直流電源Ｅの出力が安定電圧に至る前から高周波電圧を出力するとともに、前記電力変換回路の周波数可変制御、あるいは、前記スイッチング素子におけるオンデューティー可変制御により、前記誘導コイル５に印加される高周波電圧を略一定にしてなる。【選択図】　　図１
2004087346.tif 000002
【特許請求の範囲】
【請求項１】
直流電源からの電力供給を受けて高周波電圧を出力する、少なくとも１つのスイッチング素子を含む電力変換回路と、この電力変換回路の出力端に接続された誘導コイルと、この誘導コイルに近接配置されて点灯するバルブ内に放電ガスを封入した無電極放電灯とから構成される無電極放電灯点灯装置において、
前記直流電源が起動後、前記電力変換回路は前記直流電源の出力が安定電圧に至る前から高周波電圧を出力するとともに、前記電力変換回路の周波数可変制御、あるいは、前記スイッチング素子におけるオンデューティー可変制御により、前記誘導コイルに印加される高周波電圧を略一定にしてなることを特徴とする無電極放電灯点灯装置。
【請求項２】
前記周波数可変制御、あるいは、前記オンデューティー可変制御の実施する期間は前記直流電源が起動後の一定期間、あるいは、前記直流電源の出力電圧が略安定するまでの期間、あるいは、前記無電極放電灯が点灯するまでの期間であることを特徴とする請求項１記載の無電極放電灯点灯装置。
【請求項３】
前記周波数可変制御、あるいは、前記オンデューティー可変制御は前記誘導コイルに印加される高周波電圧を増加させる方向に施すものであることを特徴とする請求項１または請求項２記載の無電極放電灯点灯装置。
【請求項４】
前記周波数可変制御、あるいは、前記オンデューティー可変制御は前記直流電源の出力電圧に応じて施すものであることを特徴とする請求項１ないし請求項３いずれか記載の無電極放電灯点灯装置。
【請求項５】
前記周波数可変制御は前記誘導コイルに印加される高周波電圧を増加させる方向に施すとともに、同周波数可変制御は前記直流電源の出力電圧に応じて施すものであることを特徴とする請求項１記載の無電極放電灯点灯装置。
【発明の詳細な説明】
【０００１】
【発明の属する技術分野】
本発明は、無電極放電灯点灯装置に関し、具体的には、直流電源からの電力供給を受けて高周波電圧を出力する、少なくとも１つのスイッチング素子を含む電力変換回路と、この電力変換回路の出力端に接続された誘導コイルと、この誘導コイルに近接配置されて点灯するバルブ内に放電ガスを封入した無電極放電灯とから構成される無電極放電灯点灯装置に関するものである。
【０００２】
【従来の技術】
従来の無電極放電灯点灯装置としては、例えば、特開２０００−１００５８９号公報に開示されているものがあり、図１３にその回路図を示す。図中、１は発振回路、２はプリアンプ、３はメインアンプ、４はマッチング回路、５は誘導コイル、６は無電極放電灯、７はフィルタ回路、８は保護回路である。
【０００３】
発振回路１は、水晶振動子ＸとＦＥＴ　Ｑ１とを有する無調整の発振器であり、コイルＬ１とコンデンサＣ１により低Ｑの同調回路を構成しているものである。プリアンプ２は、発振回路１の高周波出力をＦＥＴ　Ｑ２によりＣ級増幅し、コイルＬ２とコンデンサＣ２により発振周波数に同調するようにしているものである。プリアンプ２の出力は、駆動トランスＴ１を介してメインアンプ３のＦＥＴ　Ｑ３，Ｑ４に供給されているものである。メインアンプ３は、プリアンプ２の出力をさらに電力増幅して高周波電力を出力するＤ級回路となっている。メインアンプ３の出力は、マッチング回路４を介して誘導コイル５に供給され、無電極放電灯６を点灯させるものである。
【０００４】
ここで、マッチング回路４は、メインアンプ３の出力と後段の無電極放電灯６および高周波電力供給用の誘導コイル５との間に設けられ、両方のインピーダンスのマッチングを取り、反射を無くして無電極放電灯６に効率良く高周波電力を伝達するように、インピーダンス整合を行っているものである。無電極放電灯６としては、ガラスバルブ内に不活性ガス、金属蒸気などの放電ガスを封入したものであり、ガラスバルブの外周には近接して数ターンの空心コイルである高周波電力供給用の誘導コイル５が巻回されて、高周波電力を無電極放電灯６内の放電ガスに供給しているものである。フィルタ回路７は、インダクタとコンデンサで構成されたローパスフィルタであり、直流電源Ｅとメインアンプ３の間に挿入されて、高周波が電源に帰還することを防いでいるものである。
【０００５】
また、保護回路８としては、直流電源Ｅの出力電流を抵抗Ｒ１により検出し、過電流を検出すると、プリアンプ２のＦＥＴ　Ｑ２およびメインアンプ３のＦＥＴ　Ｑ４の制御入力端子（ゲート・ソース間）をクランプして、無電極放電灯６を停止させる機能などが含まれているものであり、具体的な回路の一例を図１４に示しておいた。
【０００６】
以下、動作状態を簡単に説明する。まず、直流電源Ｅからの直流電圧を受けると発振回路１が発振を開始して、プリアンプ２に発振回路１の信号が伝達されて増幅され、メインアンプ３に増幅された信号が伝達されて、さらに増幅されるものである。メインアンプ３にて増幅された高周波電圧は、無電極放電灯６の球状の外周に沿って近接配置された高周波電力供給用の誘導コイル５に印加されるものである。そして、誘導コイル５に数百ｋＨｚから数百ＭＨｚの高周波電流を流すことにより、無電極放電灯６に高周波電力を供給し、無電極放電灯６内に高周波プラズマ電流を発生させて、紫外線もしくは可視光を発生するようになっているものである。
【０００７】
次に、電源投入時の動作について図１５により説明する。直流電源Ｅとして昇圧チョッパ回路を用いた場合、電源投入後（ｔ＝ｔ０）、昇圧チョッパ回路が動作を開始し（ｔ＝ｔ１）出力電圧ＶＤＣが増加し、一定時間経過後、出力電圧ＶＤＣは一定となるものである（ｔ＞ｔ２）。この時、出力電圧ＶＤＣが十分に安定するまでメインアンプ３の発振を停止させる始動タイマー回路が作動するものである。すなわち、コンパレータＩＣ３の出力を電源投入時の一定期間のみＨｉｇｈレベルとし、ＦＥＴ　Ｑ５をＯＮとすることにより、メインアンプ３が発振停止となるものである。そして、ｔ＞ｔ３で誘導コイル５両端に電圧Ｖｃｏｉｌが印加されて、ｔ＝ｔ４で無電極放電灯６が点灯するものである。
【０００８】
そして、始動タイマー回路を設けている理由について、以下に説明する。例えば、図１６のように、メインアンプ３が直流電源Ｅ（昇圧チョッパ回路）と略同時に動作を開始する場合を考えてみる。直流電源Ｅの出力電圧ＶＤＣが安定していない期間（ｔ５＜ｔ＜ｔ６）に、メインアンプ３が発振を開始すると、誘導コイル５の両端電圧Ｖｃｏｉｌが低電圧側から徐々に立ち上がり、Ｖｃｏｉｌは無電極放電灯６の点灯に必要な点弧始動電圧以下の電圧を経由する場合がある。その時、無電極放電灯６がグロー放電状態を一定時間をかけて経由するために、無電極放電灯６としては、点灯時に歯切れ良く点灯しなかったり、ちらついたりするという可能性があった。さらに、点弧始動時間（ｔ５〜ｔ６）が長くなると、メインアンプ３など回路素子に過電圧が長時間印加してしまうものであった。したがって、これらの不具合を起こさないために、始動タイマー回路が設けられているのである。なお、図１６の電圧Ｖｃｏｉｌは、正電圧側のみを表記しているものである（以下も同様）。
【０００９】
【発明が解決しようとする課題】
ところで、上記のように始動タイマー回路を動作させる場合、メインアンプ３の発振停止期間（ｔ＜ｔ３）では、電源回路Ｅの負荷が軽くなるために、出力電圧ＶＤＣの立ち上り時にオーバーシュートが発生しやすくなり、回路素子に対するストレスが大きくなるという問題があった。
【００１０】
また、電源回路Ｅ出力の電圧立ち上り時間（時間ｔ０−ｔ６）や始動タイマー動作期間は、構成回路の部品バラツキによって変動するために、メインアンプ３の発振停止時間（図１５におけるｔ０＜ｔ＜ｔ３）としては、余裕をみて長く設計する必要があった。
【００１１】
しかしながら、このように無電極放電灯６の点灯時に、毎回、始動タイマー回路が動作するために、例えば、イルミネーションやサイン・信号用途などのように比較的高速で点灯制御を行う場合には、不都合なものであり、また、例えば、瞬時停電などで、直流電源Ｅの出力電圧が寸断される場合を考えると、停電期間によっては電圧が復帰した際でも、始動タイマー動作に陥ってしまい、無電極放電灯６の消灯期間が長くなってしまい、その結果として、トンネル灯などの用途では不都合になるという問題があった。
【００１２】
本発明は、上述の事実に鑑みてなされたものであって、その目的とするところは、始動タイマー回路などによるメインアンプの発振停止時間を設けなくても、無電極放電灯の点灯としては歯切れが良くて、しかも、ちらつきもなく点灯して、点弧始動時間を短くすることができる無電極放電灯点灯装置を提供することにある。
【００１３】
【課題を解決するための手段】
本発明の請求項１に係る無電極放電灯点灯装置は、直流電源からの電力供給を受けて高周波電圧を出力する、少なくとも１つのスイッチング素子を含む電力変換回路と、この電力変換回路の出力端に接続された誘導コイルと、この誘導コイルに近接配置されて点灯するバルブ内に放電ガスを封入した無電極放電灯とから構成される無電極放電灯点灯装置において、前記直流電源が起動後、前記電力変換回路は前記直流電源の出力が安定電圧に至る前から高周波電圧を出力するとともに、前記電力変換回路の周波数可変制御、あるいは、前記スイッチング素子におけるオンデューティー可変制御により、前記誘導コイルに印加される高周波電圧を略一定にしてなることを特徴とする。
【００１４】
本発明の請求項２に係る無電極放電灯点灯装置は、前記周波数可変制御、あるいは、前記オンデューティー可変制御の実施する期間は前記直流電源が起動後の一定期間、あるいは、前記直流電源の出力電圧が略安定するまでの期間、あるいは、前記無電極放電灯が点灯するまでの期間であることを特徴とする。
【００１５】
本発明の請求項３に係る無電極放電灯点灯装置は、前記周波数可変制御、あるいは、前記オンデューティー可変制御は前記誘導コイルに印加される高周波電圧を増加させる方向に施すものであることを特徴とする。
【００１６】
本発明の請求項４に係る無電極放電灯点灯装置は、前記周波数可変制御、あるいは、前記オンデューティー可変制御は前記直流電源の出力電圧に応じて施すものであることを特徴とする。
【００１７】
本発明の請求項５に係る無電極放電灯点灯装置は、前記周波数可変制御は前記誘導コイルに印加される高周波電圧を増加させる方向に施すとともに、同周波数可変制御は前記直流電源の出力電圧に応じて施すものであることを特徴とする。
【００１８】
【発明の実施の形態】
以下、本発明の実施の形態について説明する。
【００１９】
本発明の無電極放電灯点灯装置としては、例えば、図１に示すごとく、直流電源Ｅからの電力供給を受けて高周波電圧を出力する、少なくとも１つのスイッチング素子を含む電力変換回路と、この電力変換回路の出力端に接続された誘導コイル５と、この誘導コイル５に近接配置されて点灯するバルブ内に放電ガスを封入した無電極放電灯６とから構成される無電極放電灯点灯装置において、前記直流電源Ｅが起動後、前記電力変換回路は前記直流電源Ｅの出力が安定電圧に至る前から高周波電圧を出力するとともに、前記電力変換回路の周波数可変制御、あるいは、前記スイッチング素子におけるオンデューティー可変制御により、前記誘導コイル５に印加される高周波電圧を略一定にしてなっているものである。
【００２０】
そこで、以下、実施形態１〜５についての各々の実施の形態をさらに具体的に図面を参照しながら詳しく説明する。
【００２１】
（実施形態１）
本実施形態の構成について図１に示す。従来の技術と同一の構成、動作および効果については説明を省略する。従来の技術との主な相違点としては、保護回路８およびそれに付随する抵抗Ｒ１、ダイオードＤ１，Ｄ２が無く、メインアンプ３はＦＥＴ　Ｑ３，Ｑ４、インダクタＬｓ、コンデンサＣｐから構成され、マッチング回路４はコンデンサＣｓから構成され、直流電源Ｅは整流用ダイオードブリッジ１０とＦＥＴ　Ｑ６，インダクタＬ１０，ダイオードＤ１０および平滑用コンデンサＣ１０からなる昇圧チョッパ回路とで構成されているものである。そして、発振回路１としては、直流電源Ｅの出力電圧ＶＤＣを分圧する抵抗Ｒ１５，Ｒ１６と、電圧制御発振器ＶＣＯと、電圧制御発振器ＶＣＯに入力される電圧（抵抗Ｒ１６両端電圧／基準電圧Ｖｒｅｆ　）を切り替えるスイッチＳＷと、直流電源Ｅの出力電圧ＶＤＣ（抵抗Ｒ１６両端電圧）に応じてスイッチＳＷの切替を行う制御回路１２から構成されているものである。ただし、メインアンプ３、マッチング回路４での動作については、上記従来例の場合と略同様で本質的に相違が無いものとする。
【００２２】
本実施形態の動作を図３により説明する。直流電源Ｅの図は、図３の（ａ）のように、時間ｔ０で交流電源ＡＣが投入された後、時間ｔ５でＦＥＴ　Ｑ６がＯＮ−ＯＦＦを繰り返して昇圧チョッパ回路が動作すると、出力電圧ＶＤＣは増加し、その後、時間ｔ７以降では出力電圧ＶＤＣが安定して、略一定となる。一方、メインアンプ３としては、昇圧チョッパ回路と同様に、時間ｔ５より動作を開始するために、図３の（ｃ）のように、誘導コイル５両端に電圧Ｖｃｏｉｌが発生するものである。この時、制御回路１２に付加されているタイマー機能により時間ｔ５から一定期間後の時間ｔ８までは発振回路１のスイッチＳＷをＡ側、それ以降では、Ｂ側に切り替えているものである。スイッチＳＷがＡ側の時は、出力電圧ＶＤＣに応じて、電圧制御発振器ＶＣＯの出力周波数を可変し、Ｂ側では出力周波数が一定となるものである。スイッチＳＷがＡ側の時、例えば、メインアンプ３の動作周波数ｆと誘導コイル５両端電圧Ｖｃｏｉｌとの関係が、図２の（ａ）のようになる場合、すなわち、動作周波数ｆが増加すると、電圧Ｖｃｏｉｌが減少する場合においては、図２の（ｂ）のように、出力電圧ＶＤＣが増加すると、動作周波数ｆも増加するように制御されるものである。その結果、スイッチＳＷがＡ側である時間ｔ５〜ｔ８の期間では、図３の（ｂ）のように、動作周波数ｆが出力電圧ＶＤＣに応じて変化して、この時、電圧Ｖｃｏｉｌは無電極放電灯６が点灯する時間ｔ６までの間は、略一定に保たれるように制御されるものである。
【００２３】
これより、従来例の場合（図１６）と比較して、メインアンプ３の動作直後（ｔ３）から無電極放電灯６の始動に十分な電圧Ｖｃｏｉｌが得られるために、点弧始動時間（ｔ５〜ｔ６）が短くなり、メインアンプ３などの回路素子に与えるストレスも小さく、その結果、グロー放電状態を一定時間をかけて経由することがないために、無電極放電灯６は歯切れ良く点灯して、ちらつきもないという効果がある。さらに、従来例（図１５）のような始動タイマー回路などによるメインアンプの発振停止時間を設けなくても済むために、出力電圧ＶＤＣの立ち上り時のオーバーシュートが起こりにくく、また、比較的高速で点灯制御を行った場合の反応性も良く、また、瞬時停電の復帰後でも、しばらく無電極放電灯６が消灯しているという不都合も解消されるものである。
【００２４】
なお、動作周波数ｆと電圧Ｖｃｏｉｌの関係が図２の（ａ）と逆の場合、すなわち、動作周波数ｆが増加すると、電圧Ｖｃｏｉｌも増加する場合であっても、出力電圧ＶＤＣが増加すると、動作周波数ｆは減少するように制御すれば、上記と同様の効果が得られるものである。
【００２５】
また、メインアンプ３が動作開始するタイミングは、昇圧チョッパ回路の動作開始時間（ｔ５）と同じでなくても良くて、出力電圧ＶＤＣが安定前（ｔ５＜ｔ＜ｔ７）なら一定の効果が得られるものである。
【００２６】
また、直流電源Ｅの回路としては、他のスイッチングレギュレータ、例えば、昇降圧、降圧などのチョッパ回路、フォワードコンバータ、フライバックコンバータなどであってもかまわないものであり、さらには、その他の直流電源であっても良いものである。そして、メインアンプ３の構成としては、１石式のＣ級やＥ級回路構成であっても良くて、このようなものであっても同様の効果が得られるものである。
【００２７】
（実施形態２）
本実施形態の構成について図４に示す。実施形態１と同一の構成、動作および効果については説明を省略する。この実施形態１との相違点としては、発振回路１は、直流電源Ｅから電力供給され一定電圧を出力する定電圧源１３と、抵抗１７、コンデンサＣ１１および電圧制御発振器ＶＣＯとで構成されていることである。
【００２８】
本実施形態の動作を図５により説明すると、交流電源ＡＣが投入されて、直流電源Ｅが起動し出力電圧ＶＤＣが発生すると、定電圧源１３により一定直流電圧が出力されて、抵抗Ｒ１７を介してコンデンサＣ１１が充電されるものである。その結果、電圧制御発振器ＶＣＯには徐々に増加する電圧が印加されるために、電圧制御発振器ＶＣＯの出力周波数も徐々に増加し、図５の（ｂ）に示すようにメインアンプ３の動作周波数ｆも徐々に増加し（ｔ５＜ｔ＜ｔ８）、コンデンサＣ１１が満充電となると動作周波数ｆは一定になる。この時、図５の（ｃ）に示すように、点弧始動時（ｔ５＜ｔ＜ｔ６）には電圧Ｖｃｏｉｌが略一定に制御されており、同様の効果が得られるものである。なお、実施形態１と比較して、出力電圧ＶＤＣの電圧値をきめ細かく検出する必要が無いために、発振回路１の構成が簡略化できるという効果がある。なお、定電圧源１３の出力電圧は直流電源Ｅの出力電圧ＶＤＣと比較して十分小さいものとし、上記のような周波数制御を行う期間は一定電圧を出力しているものとする。
【００２９】
（実施形態３）
本実施形態の構成について図６に示す。実施形態１と同一の構成、動作および効果については説明を省略する。この実施形態１との相違点としては、ドライブ回路１１によりメインアンプ３を駆動していることであり、ドライブ回路１１は、発振回路１から出力される周波数において、Ｈｏｕｔ−Ｈ−ＧＮＤ端子間、Ｌｏｕｔ−Ｌ−ＧＮＤ端子間にそれぞれＦＥＴ　Ｑ３、Ｑ４に対する略矩形波状の駆動信号を出力（両者の位相差は略１８０°）するものである。
【００３０】
本実施形態の動作を図７により説明すると、同図７の（ａ）および（ｂ）より時間ｔ５以降、出力電圧ＶＤＣに応じてメインアンプ３の動作周波数ｆを変化させているが、実施形態１との相違点としては、出力電圧ＶＤＣが略安定電圧となったとき（ｔ８）に、スイッチＳＷをＡ側からＢ側に切り替えていることであり、点弧始動時（ｔ５＜ｔ＜ｔ７）には電圧Ｖｃｏｉｌが略一定に制御されており、同様の効果が得られるものである。
【００３１】
（実施形態４）
本実施形態の構成について図８に示す。実施形態３と同一の構成、動作および効果については説明を省略する。この実施形態３との相違点としては、スイッチＳＷの出力を電圧制御発振器ＶＣＯ側ではなくて、ドライブ回路１１側に入力されており、発振回路１は出力電圧ＶＤＣによらず、同ドライブ回路１１に入力されていることである。
【００３２】
次に、本実施形態の動作を図９および図１０により説明する。実施形態３との相違点としては、出力電圧ＶＤＣに応じて、ＦＥＴ　Ｑ３、Ｑ４のオンデューティーを可変しており、スイッチＳＷがＡ側の時は、出力電圧ＶＤＣに応じてＦＥＴ　Ｑ３、Ｑ４のオンデューティーを可変し、Ｂ側ではオンデューティーが一定となる。スイッチＳＷがＡ側の時、ＦＥＴ　Ｑ３、Ｑ４のオンデューティーと誘導コイル５両端電圧Ｖｃｏｉｌとの関係は図９の（ａ）のようになり、すなわち、ＦＥＴ　Ｑ３、Ｑ４のオンデューティーが増加すると電圧Ｖｃｏｉｌも増加するので、図９の（ｂ）のように、出力電圧ＶＤＣが増加すると、ＦＥＴ　Ｑ３、Ｑ４のオンデューティーは減少するように制御されるものである。その結果、スイッチＳＷがＡ側である時間ｔ５〜ｔ８の期間では、図１０の（ｂ）のように、動作周波数ｆが出力電圧ＶＤＣに応じて変化して、この時、電圧Ｖｃｏｉｌは、点弧始動時（ｔ５＜ｔ＜ｔ７）には電圧Ｖｃｏｉｌが略一定に制御されており、同様の効果が得られるものである。また、実施形態３と比較して、電圧制御発振器ＶＣＯも不要となり、回路を低コスト化することができるという効果がある。
【００３３】
（実施形態５）
本実施形態の構成および動作について図１１および図１２に示す。実施形態３と同一の構成、動作および効果については、説明を省略する。実施形態３との相違点としては、コンデンサＣｐの両端電圧を制御回路１２に入力していることであり、無電極放電灯６が点灯する前後のコンデンサＣｐの両端電圧差により、点灯を検出しており、図１２の（ｂ）に示すように、無電極放電灯６が点灯後（ｔ７）、スイッチＳＷをＡ側からＢ側に切り替えていることであり、点弧始動時（ｔ５＜ｔ＜ｔ７）には電圧Ｖｃｏｉｌが略一定に制御されており、同様の効果が得られるものである。また、点灯するまで周波数制御を実施しているので、確実に無電極放電灯６が点灯できるという効果がある。なお、点灯を検出する部位としては、点弧始動時−点灯時とで差が見られる他の電圧、電流であっても良いものである。
【００３４】
【発明の効果】
本発明の請求項１に係る無電極放電灯点灯装置によると、高周波電圧の周波数可変制御、あるいは、電力変換回路の複数のスイッチング素子におけるオンデューティー可変制御により、誘導コイルに印加される点弧始動電圧が略一定となるので、始動タイマー回路などによるメインアンプの発振停止時間を設けなくても、無電極放電灯の点灯としては歯切れが良くて、しかも、ちらつきもなく点灯して、点弧始動時間を短くすることができるという効果がある。
【００３５】
本発明の請求項２ないし請求項５に係る無電極放電灯点灯装置によると、請求項１記載の場合に加えて、始動タイマー回路などによるメインアンプの発振停止時間を設けなくても、無電極放電灯の点灯としては確実に歯切れが良くて、しかも、ちらつきもなく確実に点灯し、点弧始動時間をより一層短くすることができるという効果がある。
【図面の簡単な説明】
【図１】本発明の実施形態１に係る無電極放電灯点灯装置を示した回路図である。
【図２】（ａ）は、本発明の実施形態１に係る無電極放電灯点灯装置において、メインアンプの動作周波数ｆと誘導コイルの両端電圧Ｖｃｏｉｌとの関係を示したグラフであり、（ｂ）は、（ａ）のように、動作周波数ｆが増加すると電圧Ｖｃｏｉｌが減少する場合において、出力電圧ＶＤＣが増加すると動作周波数ｆも増加するように制御される様子を示したグラフである。
【図３】（ａ）〜（ｃ）のいずれも、本発明の実施形態１に係る無電極放電灯点灯装置の動作の様子を示したグラフである。
【図４】本発明の実施形態２に係る無電極放電灯点灯装置を示した回路図である。
【図５】（ａ）〜（ｃ）のいずれも、本発明の実施形態２に係る無電極放電灯点灯装置の動作の様子を示したグラフである。
【図６】本発明の実施形態３に係る無電極放電灯点灯装置を示した回路図である。
【図７】（ａ）〜（ｃ）のいずれも、本発明の実施形態３に係る無電極放電灯点灯装置の動作の様子を示したグラフである。
【図８】本発明の実施形態４に係る無電極放電灯点灯装置を示した回路図である。
【図９】（ａ）〜（ｂ）のいずれも、本発明の実施形態４に係る無電極放電灯点灯装置の動作の様子を示したグラフである。
【図１０】（ａ）〜（ｃ）のいずれも、本発明の実施形態４に係る無電極放電灯点灯装置の動作の様子を示したグラフである。
【図１１】本発明の実施形態５に係る無電極放電灯点灯装置を示した回路図である。
【図１２】（ａ）〜（ｃ）のいずれも、本発明の実施形態５に係る無電極放電灯点灯装置の動作の様子を示したグラフである。
【図１３】一従来例に係る無電極放電灯点灯装置を示した回路図である。
【図１４】一従来例に係る無電極放電灯点灯装置に用いられていた保護回路の一例を示した回路図である。
【図１５】一従来例に係る無電極放電灯点灯装置の動作の様子を示したグラフである。
【図１６】一従来例に係る無電極放電灯点灯装置の動作の様子を示したグラフである。
【符号の説明】
５　　誘導コイル
６　　無電極放電灯
Ｅ　　直流電源
【図１】
2004087346.tif 000003
【図２】
2004087346.tif 000004
【図３】
2004087346.tif 000005
【図４】
2004087346.tif 000006
【図５】
2004087346.tif 000007
【図６】
2004087346.tif 000008
【図７】
2004087346.tif 000009
【図８】
2004087346.tif 000010
【図９】
2004087346.tif 000011
【図１０】
2004087346.tif 000012
【図１１】
2004087346.tif 000013
【図１２】
2004087346.tif 000014
【図１３】
2004087346.tif 000015
【図１４】
2004087346.tif 000016
【図１５】
2004087346.tif 000017
【図１６】
2004087346.tif 000018